(57)【要約】【課題】固定案内筒と、端面にカム傾斜面を有し少なくともカム傾斜面の一方端に係止凹部を有した回転カム筒と、前記カム傾斜面に当接するカム突片を外周面上に備えた摺動押圧子とで構成された回転式の繰出機構を有した回転繰出式筆記具において、係止凹部のカム傾斜面に連接した側の係止突部の高さを低く抑え、摺動押圧子のカム突片の先端部が係止突部を乗越えるには、回転カムを回転させるのに従来より大きなトルクが必要となる構造とする。【解決手段】回転カム筒１５の係止凹部２１の横断面において、カム突片１６の先端部１６ａが当接する回転カム筒１５の係止突部２２の当接側壁面２３の外径縁部２４で当接するように、当接側壁面２３とカム突片１６の側壁面１６ｂとの離間距離が外径縁部２４から内径縁部２５に向かうにしたがって拡がるように設ける。【選択図】図７
2009262409.tif 000002
【特許請求の範囲】
【請求項１】
軸筒内に、固定案内筒と、該固定案内筒の内部に、端面にカム傾斜面を有し該カム傾斜面の一方端に係止凹部と係止突部を有した、固定案内筒に対して回転可能に組み込まれた回転カム筒と、カム突片を前記カム傾斜面に当接し、固定案内筒に対して回転不能に組み込まれた摺動押圧子とで構成された回転式の繰出機構を備え、回転カム筒の回転にともないカム突片がカム傾斜面を移動することで摺動押圧子が前後動して、摺動押圧子の前方に配した筆記体も連動して前後動し、カム突片が係止突部を乗越えて係止凹部に係合することで、筆記体の筆記先端部が軸筒の先端開口部から突出した状態を維持してなる回転繰出式筆記具において、前記係止突部を、カム突片が係止凹部から離脱する際にカム突片の側壁面が係止突部の当接側壁面の外径側の近傍で当接するように設けたことを特徴とする回転繰出式筆記具。
【請求項２】
前記係止突部の当接側壁面を、カム突片の側壁面との離間距離が外径縁部から内径縁部に向かうにしたがって拡がるように設けた、請求項１に記載の回転繰出式筆記具。
【請求項３】
前記係止凹部のカム突片が当接する当接壁面の部分に、外径側の一部を残して内径側に開口した凹溝を設け、係止突部の部分に、外径側の一部を残して前記凹溝に連接した切欠部を設けてなる、請求項１に記載の回転繰出式筆記具。
【請求項４】
前記係止凹部および係止突部の壁面を、外径側から内径側に向かうにしたがって回転カム筒の後方側に傾斜させてなる、請求項１に記載の回転繰出式筆記具。
【発明の詳細な説明】
【技術分野】
【０００１】
本発明は、回転繰出式筆記具に関する。
【背景技術】
【０００２】
従来、軸筒内に、固定案内筒と、該固定案内筒の内部に、端面にカム傾斜面を有し該カム傾斜面の一方端に係止凹部と係止突部を有した、固定案内筒に対して回転可能に組み込まれた回転カム筒と、カム突片を前記カム傾斜面に当接し、固定案内筒に対して回転不能に組み込まれた摺動押圧子とで構成された回転式の繰出機構を備え、回転カム筒の回転にともないカム突片がカム傾斜面を移動することで摺動押圧子が前後動して、摺動押圧子の前方に配した筆記体も連動して前後動し、カム突片が係止突部を乗越えて係止凹部に係合することで、筆記体の筆記先端部が軸筒の先端開口部から突出した状態を維持してなる回転繰出式筆記具は、実開平３−３６４８８号公報等により開示されており、知られている。
【０００３】
前記回転繰出式筆記具における繰出機構ついて、図を用いて簡単に説明するが、筆記具としてボールペンを例にあげて説明する。図１に示すように、摺動押圧子１７はコイルスプリング８により後方に付勢されて軸筒２内に収容したボールペンレフィル７の後端に連接している。摺動押圧子１７はボールペンレフィル７を介して後方側（図１において右側方向）に常時押圧された状態となっている。回転カム筒１５の回転にともない摺動押圧子１７のカム突片１６が回転カム筒１５のカム傾斜面１４に沿って移動することで、摺動押圧子１７は前後動する。摺動押圧子１７が前進すると、摺動押圧子１７の前方に配したボールペンレフィル７も前進し、ボールペンレフィル７のチップ先端１９を軸筒２の先端開口部２０から突出させ、摺動押圧子１７のカム突片１６の先端部１６ａが係止凹部２１に係合することで、筆記中にボールペンレフィル７へ押圧力がかかっても、ボールペンレフィル７が後退してチップ先端１９が軸筒２の先端開口部２０に没入するのを防止している。摺動押圧子１７が後退すると、ボールペンレフィル７も後退してチップ先端１９が軸筒２内に没入する。
【０００４】
図６は、回転カム筒のカム傾斜面に対する摺動押圧子のカム突片の移動を説明するためのカム傾斜面の概略展開図であるが、係止凹部２１には、筆記中のボールペンレフィル７への押圧力によりボールペンレフィル７が後退してチップ先端１９が軸筒２内に容易に没入しないように、係止凹部２１とカム傾斜面１４との間に係止突部２２を設けてある。摺動押圧子１７のカム突片１６が係止突部２２を乗越えることでカム傾斜面１４に移動可能となる。従来、カム傾斜面１４は軸心に沿った方向に延びて形成されており、カム突片１６が係止突部２２を乗越える際は、図１２（回転カム筒１５の係止凹部２１の横断面を示す）に示すように、カム突片１６の先端部１６ａが当接する回転カム筒１５の係止突部２２の当接側壁面２３の内径縁部２５に当接するようになっていた。
【０００５】
ところで、係止突部２２における高さ：Ｈ（係止凹部２１における軸心に沿った方向の底壁面２１ａから係止突部２２の先端までの距離、図６を参照。）が低いと、容易にカム突片１６が係止突部２２を乗越えてしまい、筆記中のボールペンレフィル７の後退の防止効果が得られない。逆に高さが高すぎると、十分な前記防止効果が得られる反面、ボールペンレフィル７のチップ先端１９を軸筒２先端開口部２０から突出させて維持する際に、カム突片１６が係止突部２２を乗越える際の衝撃が手に伝わったり、作動音がしたりして操作感が悪くなるという問題があり、高級感に欠けるものとなってしまう。従来の前記したような回転式の繰出機構を有した回転繰出筆記具においては、筆記中の筆記体への押圧力により筆記体が後退して筆記先端部が軸筒の先端開口部に没入するのを防止するために、係止突部における高さを高くし、摺動押圧子のカム突片の先端部が係止突部を乗越える際の、作動音や操作感に係る性能を犠牲としていたのが現状である。
【０００６】
こうした、回転カムの回転にともない摺動押圧子のカム突片が回転カム筒のカム傾斜面に沿って移動する構造において、回転操作がスムーズにいくように摺動コマとカム傾斜面の接触部の摩擦抵抗を減少させることを目的とする考案が、実公平４−４２１５３号「複式筆記具」公報により開示されている。本考案に開示されている技術は、従来は円筒カム（回転カム）１４´のカム傾斜面１３´の角張った内縁点β´と摺動コマ（摺動押圧子）７´の突出部（カム突片）２４´の傾斜した後端面２５´がくい込み合って接触し滑らかな滑りが生せずガイド筒５´に対する円筒カム１４´の回転が損なわれ重くなる傾向にあるという問題を解決するために（公報の第３頁の第５欄第２７行目〜３２行目に記載）、「円筒カムのカム傾斜面における任意の位置の外縁点と同一位相にある内縁点とを結ぶ線を、その外縁点と円筒カムの中心点とを結ぶ線に対しθ１  ゜だけ内側に傾け、且つ、円筒カムが接触する各摺動コマの突出部の傾斜した後端面と、その後端面の外縁点と円筒カムの中心とを結ぶ線となす角度を上記のθ１  に対し略同一に設定する。」と、いうものである。
【０００７】
前記考案は回転操作がスムーズなるようにしたものである。これに対し本発明は、摺動押圧子のカム突片が係止突部を容易に乗越えないように、係止突部の高さ（係止凹部における軸心に沿った方向の底壁面から係止突部の先端までの距離）を高くすることなく、乗越える際の抵抗が増ようにするもので、前記考案と技術が相違するものである。
【特許文献１】実開平３−３６４８８号公報
【特許文献２】実公平４−４２１５３号公報
【発明の開示】
【発明が解決しようとする課題】
【０００８】
本発明は前記事実に鑑み、軸筒内に、固定案内筒と、該固定案内筒の内部に、端面にカム傾斜面を有し該カム傾斜面の一方端に係止凹部と係止突部を有した、固定案内筒に対して回転可能に組み込まれた回転カム筒と、カム突片を前記カム傾斜面に当接し、固定案内筒に対して回転不能に組み込まれた摺動押圧子とで構成された回転式の繰出機構を備え、回転カム筒の回転にともないカム突片がカム傾斜面を移動することで摺動押圧子が前後動して、摺動押圧子の前方に配した筆記体も連動して前後動し、カム突片が係止突部を乗越えて係止凹部に係合することで、筆記体の筆記先端部が軸筒の先端開口部から突出した状態を維持してなる回転繰出式筆記具において、摺動押圧子のカム突片の先端部が係合する回転カム筒に形成した係止凹部のカム傾斜面に連接する側の係止突部の高さを低くしても、従来と同様な、筆記中の筆記体への押圧力により筆記体が後退して筆記先端部が軸筒の先端開口部に没入するのを防止する防止効果が得られる回転繰出式筆記具を得るものである。
【課題を解決するための手段】
【０００９】
本発明は、
「１．軸筒内に、固定案内筒と、該固定案内筒の内部に、端面にカム傾斜面を有し該カム傾斜面の一方端に係止凹部と係止突部を有した、固定案内筒に対して回転可能に組み込まれた回転カム筒と、カム突片を前記カム傾斜面に当接し、固定案内筒に対して回転不能に組み込まれた摺動押圧子とで構成された回転式の繰出機構を備え、回転カム筒の回転にともないカム突片がカム傾斜面を移動することで摺動押圧子が前後動して、摺動押圧子の前方に配した筆記体も連動して前後動し、カム突片が係止突部を乗越えて係止凹部に係合することで、筆記体の筆記先端部が軸筒の先端開口部から突出した状態を維持してなる回転繰出式筆記具において、前記係止突部を、カム突片が係止凹部から離脱する際にカム突片の側壁面が係止突部の当接側壁面の外径側の近傍で当接するように設けたことを特徴とする回転繰出式筆記具。
２．前記係止突部の当接側壁面を、カム突片の側壁面との離間距離が外径縁部から内径縁部に向かうにしたがって拡がるように設けた、前記１項に記載の回転繰出式筆記具。
３．前記係止凹部のカム突片が当接する当接壁面の部分に、外径側の一部を残して内径側に開口した凹溝を設け、係止突部の部分に、外径側の一部を残して前記凹溝に連接した切欠部を設けてなる、前記１項に記載の回転繰出式筆記具。
４．前記係止凹部および係止突部の壁面を、外径側から内径側に向かうにしたがって回転カム筒の後方側に傾斜させてなる、前記１項に記載の回転繰出式筆記具。」
である。
【発明の効果】
【００１０】
本発明の回転式繰出式筆記具は前記したような構造なので、筆記体の筆記先端部を軸筒の先端開口部から没入させる際に、摺動押圧子のカム突片は係止突部の外径側の当接側壁面に当接するので回転中心点からの距離が長くなり、回転カム筒を回転させるためのトルクが増加し、係止突部の高さを従来の回転繰出式筆記具より低くしても、筆記中の筆記体への押圧力により筆記体が後退して筆記先端部が軸筒の先端開口部に没入してしまうことがない。また、高さを低くすることで、摺動押圧子のカム突片が係止突部を乗越える際の作動音も低減することができる。
【発明を実施するための最良の形態】
【００１１】
本発明の回転繰出式筆記具は、従来の固定案内筒と、回転カム筒と、摺動押圧子とで構成された回転式の繰出機構を有した回転繰出式筆記具において、回転カム筒のカム傾斜面に連接して設けた係止突部を、摺動押圧子のカム突片が係止凹部から離脱する際に、係止突部の当接側壁面の外径側の近傍で当接するように設ける。
【実施例】
【００１２】
本発明の実施例を図面を用いて説明する。本実施例では回転繰出式筆記具としてボールペンレフィールを軸筒内に収容した回転繰出式ボールペンに適用した例を示すが、本発明はボールペンに限定されるものではない。図中、同じ部材、同じ箇所を示す場合は、同じ符号を付してある。図１は、本発明の実施例における回転繰出式ボールペンの、一部断面を省略した縦断面図である。図２は、図１における回転繰出機構の部分の拡大縦断面図である。図３は、図２における回転繰出機構の各部材を、分解して一直線上に配置した状態を示す拡大図である。図４は、図３における各部材の側面を断面した縦断面図である。図５は、回転カム筒に摺動押圧子を組付けた状態を示す拡大図である。図６は、回転カム筒のカム傾斜面に対する摺動押圧子のカム突片の移動を説明するためのカム傾斜面の概略展開図である。図７は、本発明の第１の実施例を示し、摺動押圧子のカム突片の回転カム筒の係止凹部への係合状態を示す説明図である。図８は、本発明の第２の実施例を示し、回転カム筒の係止凹部の壁面に凹溝を設けた状態を示した回転カム筒の先端部分の拡大断面図である。図９は、本発明の第２の実施例を示し、摺動押圧子のカム突片の回転カム筒の係止凹部への係合状態を示す説明図である。図１０は、本発明の第３の実施例を示し、図４における回転カム筒の係止凹部の壁面の状態を示した拡大部分図である。図１１は、本発明の第３の実施例を示し、摺動押圧子のカム突片の回転カム筒の係止凹部への係合状態を示す説明図である。
【００１３】
本発明の回転繰出式ボールペン１は、図１に示すように、従来と同様に軸筒２を前軸２ａと後軸２ｂとで構成してある。前軸２ａと後軸２ｂは、前軸２ａ内に挿入する前円筒部３と外方に露出するリング状の突出部４と後軸２ｂ内に挿入する後円筒部５とで構成された接続金輪６を介して着脱自在に連接している。接続金輪６の前円筒部３を前軸２ａ内に挿入し、前円筒部３に形成した雄ねじ部３を前軸２ａの内壁面に形成した雌ねじ部２ａａに螺着しさらに接着して取付けてある。後円筒部５には、後軸２ｂに挿入する挿入部５ａと後軸の内径より小径な外径の小径円筒部５ｂが形成してあり、小径円筒部５ｂの後端（図１において右側端）には雄ねじ部５ｂａを設けてある。後軸２ｂは、挿入部５ａを挿入することで前軸２ａに対して着脱自在に挿着してある。後軸２ｂは接続金輪６に対して回転可能としてある。
【００１４】
軸筒２内にはボールペンレフィル７を、コイルスプリング８により後軸２ｂの後端側方向（図において右側方向）に付勢して収容してある。後軸２ｂにはクリップ９を装着してある。
【００１５】
後軸２ｂの後端内には、後軸２ｂの後端開口部２ｂａより外方に突出したねじ部１０ａを有した駆動筒１０を配してあり、ねじ部１０ａに頭冠１１を螺着して、該頭冠１１を後軸２ｂの後端に設けてある。前軸２ａに対して後軸２ｂを回転することにより、後軸２ｂ内において駆動筒１０も連動して回転する。
【００１６】
後軸２ｂ内には、図２〜図５に示すような、従来の回転式の繰出機構と同様の回転回転式の繰出機構を設けてある。繰出機構は、軸心に沿った方向に延びた貫通孔１２を有し両端を開口した固定案内筒１３と、端面にカム傾斜面１４を有した回転カム筒１５と、前記貫通孔１２と係合するカム突片１６を外周面上に備えた摺動押圧子１７とで構成されている。図３および図４に示すように、回転カム筒１５は、後方（図３において右側方向）に固定案内筒１３の後方（図３において右側方向）の開口部１３ａから外方に突出可能な外径を小径とした突出部１５ａを設けてあり、その後端（図において右側）には雄ねじ部１５ａｂを設けてある。この回転カム筒１５を、図２に示すように、突出部１５ａを固定案内筒１１の後方の開口部１３ａから外方に突出させて固定案内筒１３に挿入し、突出した突出部１５ａに、内壁に前記雄ねじ部１５ａｂに螺着可能な雌ねじ部１８ａを有した接続筒１８を、雄ねじ部１５ａｂに雌ねじ部１８ａを螺子嵌合して被覆し、さらに接続筒１８と突出部１５ａを、等間隔の４カ所にポンチ：Ｐして固着してある。回転カム筒１５が固定案内筒１３内を前後に移動しないように、かつ回転可能に配設してある。
【００１７】
回転カム筒１５の前方端には、図５に示すように、回転カム筒１５のカム傾斜面１４に当接するカム突片１６を有した摺動押圧子１７を、カム突片１６の軸心に沿った方向の先端（図５において右側）を回転カム筒１５のカム傾斜面１４に当接させ、カム突片１６を固定案内筒１３に形成した貫通孔１２に係合させて、固定案内筒１３内に配設してある（図２を参照）。回転カム筒１５が回転することで、摺動押圧子１７のカム突片１６の先端が回転カム筒１５のカム傾斜面１４上を移動し、カム突片１６が固定案内筒１３に形成した貫通孔１２に係合しているので、摺動押圧子１７は回転カム筒１５に連動して回転することなく、固定案内筒１３内を前後動する。
【００１８】
固定案内筒１３の前方端部（図１において左端）には、接続金輪６の小径円筒部５ｂの後端（図１において右端）に設けた雄ねじ部５ｂａに螺着可能な雌ねじ部１３ｂを有してあり、雄ねじ部５ｂａに雌ねじ部１３ｂを螺着して、固定案内筒１３を接続金輪６に連接している。前記した後軸２ｂの回転に連動して回転可能に後軸２ｂ内に配設した駆動筒１０は、回転カム筒１５の突出部１５ａを被覆して取付けられた接続筒１８を圧入して連接しており、駆動筒１０の回転に連動して接続筒１８も回転可能としてある。
【００１９】
ボールペンレフィル７の後方は固定案内筒１３内に収容しており、後端を摺動押圧子１７の接続端部１７ａに当接させてある。
【００２０】
動作について説明すると、従来と同様に、後軸２ｂを前軸２に対して回転すると、駆動筒１０も回転し、接続筒１８を介して回転カム筒１５も回転する。この時、固定案内筒１３は前軸２ａに連接しており回転することはない。回転カム筒１５の回転にともない、摺動押圧子１７のカム突片１６の後端がカム傾斜面１４を移動することで、摺動押圧子１７のカム突片１６が固定案内筒１３の貫通孔１２に係合しているので、摺動押圧子１７は固定案内筒１３に対して前後動し、ボールペンレフィル７のチップ先端１９を、前軸２ａの先端開口部２０より出没させる。
【００２１】
図６は、回転カム筒のカム傾斜面に対する摺動押圧子のカム突片の移動を説明するためのカム傾斜面の概略展開図であるが、その図に基づいて説明すると、摺動押圧子１７のカム突片１６の軸心に沿った方向の先端（図６おいて右端）は、回転カム筒１５のカム傾斜面１４に当接し、カム突片１６の先端がカム傾斜面１４に沿ってカム傾斜面１４上を移動することで、カム突片１６は軸心に沿った方向に前後動し、摺動押圧子（図示せず）が固定案内筒（図示せず）内を前後動する。カム傾斜面１４には、ボールペンレフィル７のチップ先端１９が前軸２ａの先端開口部２０より突出した際に、その状態を維持するために、カム突片１６の先端部１６ａが係合する係止凹部２１を設けてある。
【００２２】
本発明に基づく新たな構造は、この係止凹部２１において、該係止凹部２１のカム傾斜面１４に連接した側の係止突部２２の形状に係るものである。本発明の第１の実施例では、回転カム筒１５の係止凹部２１の横断面において、摺動押圧子１７のカム突片１６の先端部１６ａがカム傾斜面１４を移動して係止突部２２を乗越えて一旦係止凹部２１に係合し、再度係止突部２２を乗越えてム傾斜面１４に移動する際に、図７に示すように、カム突片１６の先端部１６ａが当接する回転カム筒１５の係止突部２２の当接側壁面２３の外径縁部２４で当接するように、当接側壁面２３とカム突片１６の先端部１６ａの側壁面１６ｂとの離間距離が外径縁部２４から内径縁部２５に向かうにしたがって拡がるように設けたものである。
【００２３】
摺動押圧子１７のカム突片１６の先端部１６ａが係止凹部２１に係合し、係止突部２２を乗越えてカム傾斜面１４に移動する際には、カム突片１６の先端部１６ａの側壁面１６ｂは係止突部２２の当接側壁面２３の外径縁部２４で当接する。
【００２４】
図８および図９に示す第２の実施例は、回転カム筒１５の係止凹部２１の当接壁面２６の部分に、外径側の一部を残して内径側に開口した凹溝２７を設け、係止突部２２の部分に、外径側の一部を残して前記凹溝２７に連接した切欠部２８を設けたものである。切欠部２８における係止突部２２の突出高さ：Ｈは、０ｍｍ以下となる。
【００２５】
摺動押圧子１７のカム突片１６の先端部１６ａが係止凹部２１に係合し、係止突部２２を乗越えてカム傾斜面１４に移動する際に、カム突片１６の先端部１６ａの側壁面１６ｂは係止突部２２の当接側壁面２３の、切欠部２８で構成される段部縁部２９に当接する。
【００２６】
図１０および図１１に示す第３の実施例は、係止凹部２１および係止突部２２における壁面を、図１０に示すように、外径側から内径側に向かうにしたがって回転カム筒の後方側（図１０において右側方向）に傾斜させたものである。
【００２７】
摺動押圧子１７のカム突片１６の先端部１６ａが係止凹部２１に係合し、係止突部２２を乗越えてム傾斜面１４に移動する際に、カム突片１６の先端部１６ａの側壁面１６ｂは係止突部２２の当接側壁面２３側の外径縁部２４で当接する。
【産業上の利用可能性】
【００２８】
固定案内筒と、端面にカム傾斜面を有し少なくともカム傾斜面の一方端に係止凹部を有した回転カム筒と、前記カム傾斜面に当接するカム突片を外周面上に備えた摺動押圧子とからなる回転式の繰出機構を有した回転繰出式筆記具において、軸筒内に収納した筆記体の筆記先端部を軸筒の先端開口部から突出した状態から没入させる際に、後軸を前軸に対して回転させるのに必要なトルクを大きくしたい場合や、回転操作時における操作音を低減したい場合に利用することができる。
【図面の簡単な説明】
【００２９】
【図１】本発明の実施例における回転繰出式ボールペンの、一部断面を省略した縦断面図である。
【図２】図１における回転繰出機構の部分の拡大縦断面図である。
【図３】図２における回転繰出機構の各部材を、分解して一直線上に配置した状態を示す拡大図である。
【図４】図３における各部材の側面を断面した縦断面図である。
【図５】回転カム筒に摺動押圧子を組付けた状態を示す拡大図である。
【図６】回転カム筒のカム傾斜面に対する摺動押圧子のカム突片の移動を説明するためのカム傾斜面の概略展開図である。
【図７】本発明の第１の実施例を示し、摺動押圧子のカム突片の回転カム筒の係止凹部への係合状態を示す説明図である。
【図８】本発明の第２の実施例を示し、回転カム筒の係止凹部の壁面に凹溝を設けた状態を示した回転カム筒の先端部分の拡大断面図である。
【図９】本発明の第２の実施例を示し、摺動押圧子のカム突片の回転カム筒の係止凹部への係合状態を示す説明図である。
【図１０】本発明の第３の実施例を示し、図４における回転カム筒の係止凹部の壁面の状態を示した拡大部分図である。
【図１１】本発明の第３の実施例を示し、摺動押圧子のカム突片の回転カム筒の係止凹部への係合状態を示す説明図である。
【図１２】従来の回転繰出式ボールペンにおける、摺動押圧子のカム突片の回転カム筒の係止凹部への係合状態を示す説明図である。
【符号の説明】
【００３０】
１  回転繰出式ボールペン
２  軸筒
７  ボールペンレフィル
１０  駆動筒
１２  貫通孔
１３  固定案内筒
１４  カム傾斜面
１５  回転カム筒
１６  カム突片
１６ａ  先端部
１６ｂ  側壁面
１７  摺動押圧子
２１  係止凹部
２２  係止突部
２３  当接側壁面
２４  外径縁部
２５  内径縁部
２６  当接壁面
２７  凹溝
２８  切欠部
【図１】
2009262409.tif 000003
【図２】
2009262409.tif 000004
【図３】
2009262409.tif 000005
【図４】
2009262409.tif 000006
【図５】
2009262409.tif 000007
【図６】
2009262409.tif 000008
【図７】
2009262409.tif 000009
【図８】
2009262409.tif 000010
【図９】
2009262409.tif 000011
【図１０】
2009262409.tif 000012
【図１１】
2009262409.tif 000013
【図１２】
2009262409.tif 000014